(57)【要約】【課題】本発明は、複数の利用者同士の接触があったことを検出できる入退室管理システムを提供することを目的とする。【解決手段】本発明に係る入退室管理システムは、検出電波を発信するアンテナ１と、アンテナ１からの検出電波を受信した場合にＩＤを含む情報を送信するタグ１１と、タグ１１から情報を受信するレシーバ２と、レシーバ２により受信された情報に含まれるＩＤに基づいて電気錠５を解錠する電気錠コントローラ３と、レシーバ２により受信された情報を記憶する記憶部７と、を備え、タグ１１のうち第１タグ１１ａ及び第２タグ１１ｂは、人体を介して互いに通信する人体通信機能を有し、第１タグ１１ａ及び第２タグ１１ｂの少なくとも一方は、第１タグ１１ａと第２タグ１１ｂとの間で通信が行われた場合に第１タグ１１ａのＩＤ及び第２タグ１１ｂのＩＤを含む通信記録を送信し、記憶部７は、通信記録を記憶するものである。【選択図】図３
2016177370.tif 000002
【特許請求の範囲】
【請求項１】
一定の範囲に検出電波を発信するアンテナと、
前記アンテナからの検出電波を受信した場合に識別情報を含む情報を送信する識別体と、
前記識別体から情報を受信するレシーバと、
前記レシーバにより受信された情報に含まれる識別情報に基づいて電気錠を解錠する電気錠コントローラと、
前記レシーバにより受信された情報を記憶する記憶部と、
を備え、
前記識別体のうち第１識別体及び第２識別体は、人体を介して互いに通信する人体通信機能を有し、
前記第１識別体及び前記第２識別体の少なくとも一方は、前記第１識別体と前記第２識別体との間で通信が行われた場合に前記第１識別体の識別情報及び前記第２識別体の識別情報を含む通信記録を送信し、
前記記憶部は、前記レシーバにより受信された前記通信記録を記憶する入退室管理システム。
【請求項２】
前記レシーバにより受信された情報及び前記電気錠コントローラの動作に基づいて、前記識別体が存在する領域を検出する位置検出部と、
前記位置検出部により前記第１識別体及び前記第２識別体の双方が同一領域に存在し且つ前記識別体のうち前記第１識別体及び前記第２識別体とは異なる他の識別体が当該同一領域に存在しない状況が検出された場合に、前記アンテナから有効化電波を発信させるアンテナ制御部と、
を備え、
前記第１識別体及び前記第２識別体は、前記アンテナからの有効化電波を受信した場合に人体通信機能を有効化する請求項１に記載の入退室管理システム。
【請求項３】
前記アンテナ制御部は、前記位置検出部により前記第１識別体及び前記第２識別体の双方が同一領域に存在し且つ前記識別体のうち前記第１識別体及び前記第２識別体とは異なる他の識別体が当該同一領域に存在しない状況が検出されなくなった場合に前記アンテナから無効化電波を発信させ、
前記第１識別体及び前記第２識別体は、前記アンテナからの無効化電波を受信した場合に人体通信機能を無効化する請求項２に記載の入退室管理システム。
【請求項４】
前記第１識別体は、前記第２識別体と通信を行った場合に前記第２識別体の識別情報を記憶し、
前記第２識別体は、前記第１識別体と通信を行った場合に前記第１識別体の識別情報を記憶する請求項１から３のいずれか１項に記載の入退室管理システム。
【発明の詳細な説明】
【技術分野】
【０００１】
本発明は、入退室管理システムに関するものである。
【背景技術】
【０００２】
下記特許文献１には、ＲＦＩＤタグを携帯している利用者の居る位置を特定できる入退室管理システムが記載されている。
【先行技術文献】
【特許文献】
【０００３】
【特許文献１】特開２００７−１０７１９４号公報
【発明の概要】
【発明が解決しようとする課題】
【０００４】
特許文献１に記載の入退室管理システムでは、利用者の位置を検出することは可能であるが、その位置での利用者の行動を把握することができない。特許文献１に記載の入退室管理システムでは、例えば、複数の利用者同士の接触があったことを検出することができない。
【０００５】
本発明は、上記の課題を解決するためになされた。その目的は、複数の利用者同士の接触があったことを検出できる入退室管理システムを提供することである。
【課題を解決するための手段】
【０００６】
本発明に係る入退室管理システムは、一定の範囲に検出電波を発信するアンテナと、アンテナからの検出電波を受信した場合に識別情報を含む情報を送信する識別体と、識別体から情報を受信するレシーバと、レシーバにより受信された情報に含まれる識別情報に基づいて電気錠を解錠する電気錠コントローラと、レシーバにより受信された情報を記憶する記憶部と、を備え、識別体のうち第１識別体及び第２識別体は、人体を介して互いに通信する人体通信機能を有し、第１識別体及び第２識別体の少なくとも一方は、第１識別体と第２識別体との間で通信が行われた場合に第１識別体の識別情報及び第２識別体の識別情報を含む通信記録を送信し、記憶部は、レシーバにより受信された通信記録を記憶するものである。
【発明の効果】
【０００７】
本発明に係る入退室管理システムにおいて、第１識別体及び第２識別体は、人体通信機能を有している。記憶部は、通信記録を記憶する。このため、本発明によれば、複数の利用者同士の接触があったことを検出することができる。
【図面の簡単な説明】
【０００８】
【図１】本発明の実施の形態１における入退室管理システムの構成図である。
【図２】本発明の実施の形態１における電気錠の制御を説明するためのフローチャートである。
【図３】本発明の実施の形態１におけるＲＦＩＤタグの機能ブロック図である。
【図４】本発明の実施の形態１における人体通信を説明するための模式図である。
【図５】本発明の実施の形態１における複数のＲＦＩＤタグの間で人体通信が行われる場合の例を示すフローチャートである。
【図６】本発明の実施の形態１における入退室管理システムのハードウェア構成図である。
【図７】本発明の実施の形態１における入退室管理システムが適用された建物の一例を示す模式図である。
【図８】本発明の実施の形態１における入退室管理システムの動作例を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における入退室管理システムの構成図である。入退室管理システ
ムは、例えば、複数の部屋及び複数の扉を備えた図示しない建物に適用される。
【００１１】
図１に示すように、入退室管理システムは、アンテナ１、レシーバ２、電気錠コントローラ３、扉４、扉４に設けられた電気錠５及びセンタ装置６を備えている。センタ装置６は、記憶部７、位置検出部８及びアンテナ制御部９を備えている。アンテナ１、レシーバ２及び扉４は、例えば、複数設けられている。電気錠５は、例えば、それぞれの扉４に設けられている。レシーバ２は、例えば、個々のアンテナ１に対応して設けられている。レシーバ２は、例えば、個々の電気錠５に対応して設けられたものを含んでいる。レシーバ２は、対応するアンテナ１と電気的に接続されている。電気錠コントローラ３は、レシーバ２、電気錠５及びセンタ装置６と電気的に接続されている。扉４は、例えば、入退室管理の対象となる部屋の出入口に設けられている。アンテナ１及びレシーバ２は、例えば、扉４付近及び当該部屋の内部等に設けられている。
【００１２】
入退室管理システムの利用者１０は、識別情報を有する識別体を携帯している。識別情報は、例えば、ＩＤ又は個人番号等である。実施の形態１では、利用者１０は、識別体としてＲＦＩＤタグ１１を携帯している。ＲＦＩＤタグ１１は、識別情報としてＩＤを有している。つまり、実施の形態１における入退室管理システムでは、識別情報としてＩＤが用いられる。ＩＤは、例えば、個々のＲＦＩＤタグ１１に固有のものである。以下、ＲＦＩＤタグを「タグ」と略称する。複数の利用者１０及び複数のタグ１１を区別する場合には、符号に英字を付して表記する。
【００１３】
アンテナ１は、電波を発信する機能を有している。アンテナ１は、一定の範囲に検出電波を発信する。アンテナ１からの検出電波が到達する範囲である電波エリア１２は、円状の破線で図中に示されている。タグ１１は、レシーバ２と無線通信を行う機能を有している。レシーバ２は、タグ１１と無線通信を行う機能を有している。
【００１４】
タグ１１は、アンテナ１からの検出電波を受信した場合に、ＩＤを含む情報を送信する。つまり、利用者１０が電波エリア１２に入ると、タグ１１からＩＤを含む情報が送信される。レシーバ２は、例えば、対応するアンテナ１の電波エリア１２に存在するタグ１１から情報を受信する。レシーバ２は、タグ１１から受信した情報を電気錠コントローラ３に送信する。
【００１５】
電気錠コントローラ３は、照合用ＩＤを予め記憶している。電気錠コントローラ３は、電気錠５に対応するレシーバ２から送信された情報に含まれるＩＤを照合用ＩＤと照合する。電気錠コントローラ３は、例えば、当該ＩＤが照合用ＩＤと一致した場合に、当該レシーバ２に対応する電気錠５を解錠する。電気錠コントローラ３は、例えば、当該ＩＤが照合用ＩＤと一致しない場合に、電気錠５を解錠しない。つまり、電気錠コントローラ３は、レシーバ２によりタグ１１から受信された情報に含まれるＩＤに基づいて、電気錠５を制御する。電気錠コントローラ３は、ＩＤの照合結果をセンタ装置６に送信する。
【００１６】
電気錠コントローラ３は、電気錠５が解錠された扉４を開けて利用者１０が入室又は退室した場合に、通行履歴を生成する。通行履歴は、例えば、入室又は退室の日時、電気錠５の解錠に用いられたＩＤ及び利用者１０が入室した部屋を示す情報等を含んでいる。利用者１０が入室した部屋は、例えば、当該部屋の扉４に設けられた電気錠５に対応するレシーバ２の位置に基づいて特定される。電気錠コントローラ３は、通行履歴を記憶するとともにセンタ装置６に送信する。電気錠コントローラ３は、利用者１０が当該扉４を閉めると、当該扉４に設けられた電気錠５を施錠する。
【００１７】
電気錠コントローラ３は、電気錠５に対応しないレシーバ２から情報を受信した場合に、位置情報を生成する。位置情報は、例えば、当該レシーバ２から情報を受信した日時、当該情報に含まれるＩＤ及び当該レシーバ２の位置を示す情報等を含んでいる。電気錠コントローラ３は、位置情報を記憶するとともにセンタ装置６に送信する。
【００１８】
記憶部７は、電気錠コントローラ３から送信された通行履歴及び位置情報等を記憶する。位置検出部８は、通行履歴及び位置情報等に基づいて、タグ１１が存在する領域を検出する。位置検出部８により検出される領域は、例えば、１つの電波エリア１２又は１つの部屋の内部等である。アンテナ制御部９は、アンテナ１からの電波の発信を制御する。
【００１９】
図２は、実施の形態１における電気錠の制御を説明するためのフローチャートである。以下、扉４が設けられた部屋に利用者１０が入室しようとする場合について例示する。
【００２０】
電気錠コントローラ３による電気錠５の制御が開始されるか否かは、電波エリア１２に利用者１０が入ったか否かによって決まる（ステップＳ１０１）。ステップＳ１０１で電波エリア１２に利用者１０が入らなかった場合、電気錠５の制御は開始されない。
【００２１】
ステップＳ１０１で電波エリア１２に利用者１０が入った場合、利用者１０が携帯するタグ１１がレシーバ２にＩＤを含む情報を送信する（ステップＳ１０２）。レシーバ２は、当該ＩＤを含む情報を電気錠コントローラ３に送信する（ステップＳ１０３）。電気錠コントローラ３は、当該ＩＤを照合用ＩＤと照合し（ステップＳ１０４）、照合用ＩＤと一致するか否かを判定する（ステップＳ１０５）。ステップＳ１０５で照合用ＩＤと一致すると判定された場合、電気錠コントローラ３は、電気錠５を解錠する（ステップＳ１０６）。利用者１０が扉４を開けて入室すると（ステップＳ１０７）、電気錠コントローラ３は、通行履歴を生成する（ステップＳ１０８）。電気錠コントローラ３は、センタ装置６に通行履歴を送信する（ステップＳ１０９）。利用者１０が扉４を閉めると（ステップＳ１１０）、電気錠コントローラ３は、電気錠５を施錠する（ステップＳ１１１）。
【００２２】
ステップＳ１０５で照合用ＩＤと一致しないと判定された場合、電気錠コントローラ３は、電気錠５を解錠しない（ステップＳ１１２）。ステップＳ１１２に続く処理は、利用者１０が電波エリア１２から出たか否かによって異なる（ステップＳ１１３）。ステップＳ１１３で利用者１０が電波エリア１２から出た場合、電気錠５の制御は終了する。ステップＳ１１３で利用者１０が電波エリア１２から出ていない場合、ステップＳ１０２の処理が行われる。
【００２３】
図３は、実施の形態１におけるＲＦＩＤタグの機能ブロック図である。図３には、タグ１１として、第１タグ１１ａ及び第２タグ１１ｂの２つが示されている。
【００２４】
図３に示すように、タグ１１は、ＲＦＩＤ機能部１３、人体通信機能部１４及び記憶媒体１５を備えている。また、タグ１１は、図示しない電池を備えている。
【００２５】
ＲＦＩＤ機能部１３は、アンテナ１からの電波の受信及びレシーバ２との無線通信等を行う。人体通信機能部１４は、他のタグ１１が備える人体通信機能部１４との人体通信を行う。つまり、第１タグ１１ａの人体通信機能部１４は、第２タグ１１ｂの人体通信機能部１４との人体通信を行う。人体通信とは、人体に流れる微小電流を介して行われる通信である。
【００２６】
図４は、実施の形態１における人体通信を説明するための模式図である。図４には、利用者１０として、第１利用者１０ａ及び第２利用者１０ｂの２人が示されている。
【００２７】
図４に示すように、第１利用者１０ａは、第１タグ１１ａを携帯している。第２利用者１０ｂは、第２タグ１１ｂを携帯している。第１利用者１０ａの身体と第２利用者１０ｂの身体が接触すると、第１タグ１１ａの人体通信機能部１４と第２タグ１１ｂの人体通信機能部１４との間で人体通信が行われる。つまり、第１タグ１１ａ及び第２タグ１１ｂは、人体を介して互いに通信する人体通信機能を有している。
【００２８】
図５は、実施の形態１における複数のＲＦＩＤタグの間で人体通信が行われる場合の例を示すフローチャートである。
【００２９】
利用者１０のうち第１利用者１０ａは、第１タグ１１ａを持っている（ステップＳ２０１）。利用者１０のうち第２利用者１０ｂは、第２タグ１１ｂを持っている（ステップＳ２０２）。第１タグ１１ａと第２タグ１１ｂとの間で人体通信が行われるか否かは、第１利用者１０ａと第２利用者１０ｂが接触するか否かによって決まる（ステップＳ２０３）。ステップＳ２０３で第１利用者１０ａと第２利用者１０ｂが接触していない場合、人体通信は行われない。ステップＳ２０３で第１利用者１０ａと第２利用者１０ｂが接触した場合、第１タグ１１ａと第２タグ１１ｂは、利用者同士の人体に微小電流を流し、その電流を介してタグ１１同士で通信する（ステップＳ２０４）。利用者同士の接触がなくなると、タグ１１同士の通信が終了する（ステップＳ２０５）。
【００３０】
タグ１１は、人体通信機能部１４による人体通信の通信記録を生成し、当該タグ１１の記憶媒体１５に保存する。通信記録は、例えば、当該タグ１１のＩＤ、人体通信の相手となった他のタグ１１のＩＤ及び人体通信が行われた日時等を示す情報等を含んでいる。
【００３１】
第１タグ１１ａと第２タグ１１ｂとの間で人体通信が行われた場合、第１タグ１１ａは、例えば、第１タグ１１ａのＩＤ、第２タグ１１ｂのＩＤ及び第２タグ１１ｂと通信した日時等を通信記録として記憶する。この場合、第２タグ１１ｂは、例えば、第１タグ１１ａのＩＤ、第２タグ１１ｂのＩＤ及び第１タグ１１ａと通信した日時等を通信記録として記憶する。
【００３２】
タグ１１は、生成した通信記録をレシーバ２に送信する。第１タグ１１ａと第２タグ１１ｂとの間で人体通信が行われた場合、第１タグ１１ａ及び第２タグ１１ｂの少なくとも一方は、通信記録をレシーバ２に送信する。レシーバ２は、タグ１１から受信した通信記録を電気錠コントローラ３に送信する。電気錠コントローラ３は、レシーバ２から受信した通信記録をセンタ装置６に送信する。センタ装置６の記憶部７は、電気錠コントローラ３から受信した通信記録を記憶する。
【００３３】
タグ１１は、人体通信機能部１４の動作を開始及び停止することが可能である。つまり、タグ１１の人体通信機能は、有効化及び無効化することが可能である。タグ１１の人体通信機能は、通常は無効化されている。
【００３４】
アンテナ制御部９は、アンテナ１から有効化電波及び無効化電波を発信させる機能を有している。タグ１１は、アンテナ１からの有効化電波を受信した場合に、当該タグ１１の人体通信機能部１４の動作を開始させる。つまり、タグ１１は、アンテナ１からの有効化電波を受信した場合に人体通信機能を有効化する。タグ１１は、アンテナ１からの無効化電波を受信した場合に、当該タグ１１の人体通信機能部１４の動作を停止させる。つまり、タグ１１は、アンテナ１からの無効化電波を受信した場合に人体通信機能を無効化する。
【００３５】
アンテナ制御部９は、予め設定された条件に基づいて、アンテナ１から有効化電波及び無効化電波を発信させる。当該条件は、例えば、位置検出部８によって特定の状況が検出されることである。
【００３６】
アンテナ制御部９は、例えば、特定のＩＤを有する２つのタグ１１だけが同一領域に存在することが位置検出部８によって検出された場合に、アンテナ１から有効化電波を発信させる。その後、アンテナ制御部９は、例えば、当該２つのタグ１１のうち一方が他の領域に存在することが位置検出部８によって検出された場合に、アンテナ１から無効化電波を発信させる。また、アンテナ制御部９は、例えば、当該２つのタグ１１とは異なる他のタグ１１が当該同一領域に存在することが位置検出部８によって検出された場合に、アンテナ１から無効化電波を発信させる。つまり、アンテナ制御部９は、例えば、同一領域に居る利用者１０が特定の２人だけである場合にのみタグ１１の人体通信機能を有効化し、当該２人のうち一方が他の領域に移動した場合及び当該２人以外の第三者が当該同一領域に居る場合にはタグ１１の人体通信機能を無効化する。なお、上記特定の２つのＩＤは、例えば、人体通信機能を有効化する組み合わせとして予めセンタ装置６に登録されたものである。
【００３７】
アンテナ制御部９は、例えば、ＩＤに関係なく２つのタグ１１だけが同一領域に存在することが位置検出部８によって検出された場合に、アンテナ１から有効化電波を発信させる。その後、アンテナ制御部９は、例えば、当該同一領域に存在するタグ１１が１つのみ又は３つ以上であることが位置検出部８によって検出された場合に、アンテナ１から無効化電波を発信させる。つまり、アンテナ制御部９は、例えば、同一領域に居る利用者の人数が２人である場合にのみタグ１１の人体通信機能を有効化し、当該同一領域に居る利用者の人数が２人でない場合にはタグ１１の人体通信機能を無効化する。
【００３８】
図６は、実施の形態１における入退室管理システムのハードウェア構成図である。電気錠コントローラ３は、プロセッサ１６ａ及びメモリ１７ａを備えている。センタ装置６は、プロセッサ１６ｂ及びメモリ１７ｂを備えている。タグ１１は、プロセッサ１６ｃ及びメモリ１７ｃを備えている。電気錠コントローラ３は、プロセッサ１６ａがメモリ１７ａに記憶されたプログラムを実行することにより、実現される。センタ装置６の機能は、プロセッサ１６ｂがメモリ１７ｂに記憶されたプログラムを実行することにより、実現される。タグ１１の機能は、プロセッサ１６ｃがメモリ１７ｃに記憶されたプログラムを実行することにより、実現される。
【００３９】
図７は、実施の形態１における入退室管理システムが適用された建物の一例を示す模式図である。図７には、建物内の複数の部屋として、部屋Ａ、部屋Ｂ及び部屋Ｃの３つが例示されている。部屋Ａ、部屋Ｂ及び部屋Ｃのそれぞれの内部には、アンテナ１及びレシーバ２が複数設けられている。各アンテナ１に対応する電波エリア１２は、円状の破線で図中に示されている。各部屋に設けられた複数のレシーバ２のうち少なくとも１つは、当該部屋の扉４の電気錠５に対応して設けられたものである。図７には、第１タグ１１ａを携帯している第１利用者１０ａ及び第２タグ１１ｂを携帯している第２利用者１０ｂの２人が示されている。
【００４０】
位置検出部８は、タグ１１が部屋Ａに存在する場合、例えば、当該タグ１１が存在する領域として部屋Ａを検出する。位置検出部８は、タグ１１が部屋Ｂに存在する場合、例えば、当該タグ１１が存在する領域として部屋Ｂを検出する。位置検出部８は、タグ１１が部屋Ｃに存在する場合、例えば、当該タグ１１が存在する領域として部屋Ｃを検出する。つまり、位置検出部８は、利用者１０が室内に居る場合、当該利用者１０がどの部屋に居るのかを検出する。
【００４１】
図８は、実施の形態１における入退室管理システムの動作例を示すフローチャートである。以下、図８を参照して、図７に示す建物に適用された入退室管理システムの動作例を説明する。なお、図８に示す動作例では、第１タグ１１ａのＩＤ及び第２タグ１１ｂのＩＤは、照合用ＩＤとして予め電気錠コントローラ３に記憶されている。また、図８に示す動作例では、同一領域に居る利用者１０が第１利用者１０ａと第２利用者１０ｂだけである場合にのみタグ１１の人体通信機能が有効化される。
【００４２】
入退室管理システムの動作が開始されるか否かは、第１利用者１０ａがいずれかの部屋に設置されているアンテナ１の電波エリア１２に入るか否かによって決まる（ステップＳ３０１〜ステップＳ３０３）。ステップＳ３０１で第１利用者１０ａが部屋Ａに設置されているアンテナ１の電波エリア１２に入った場合、入退室管理システムはステップＳ３０４の処理を行う。ステップＳ３０１で第１利用者１０ａが部屋Ａに設置されているアンテナ１の電波エリア１２に入らず、ステップＳ３０２で第１利用者１０ａが部屋Ｂに設置されているアンテナ１の電波エリア１２に入った場合、入退室管理システムはステップＳ３０４の処理を行う。ステップＳ３０１で第１利用者１０ａが部屋Ａに設置されているアンテナ１の電波エリア１２に入らず、ステップＳ３０２で第１利用者１０ａが部屋Ｂに設置されているアンテナ１の電波エリア１２に入らず、ステップＳ３０３で第１利用者１０ａが部屋Ｃに設置されているアンテナ１の電波エリア１２に入った場合、入退室管理システムはステップＳ３０４の処理を行う。ステップＳ３０３で第１利用者１０ａが部屋Ｃに設置されているアンテナ１の電波エリア１２に入らなかった場合、入退室管理システムの動作は開始されない。
【００４３】
ステップＳ３０１、ステップＳ３０２又はステップＳ３０３で第１利用者１０ａがいずれかの部屋に設置されているアンテナ１の電波エリア１２に入った場合、電気錠コントローラ３は、当該部屋の扉４に設けられた電気錠５の解錠及び通行履歴の記憶を行う（ステップＳ３０４）。ステップＳ３０４で記憶された通行履歴には、第１利用者１０ａが当該部屋に入室したことを示す情報が含まれている。ステップＳ３０４で記憶された通行履歴はセンタ装置６に送信される。第１利用者１０ａの入室以降の入退室管理システムの動作が実施されるか否かは、第２利用者１０ｂが当該部屋に設置されているアンテナ１の電波エリア１２に入るか否かによって決まる（ステップＳ３０５）。ステップＳ３０５で第２利用者１０ｂが当該部屋に設置されているアンテナ１の電波エリア１２に入らなかった場合、以降の入退室管理システムの動作は実施されない。
【００４４】
ステップＳ３０５で第２利用者１０ｂが当該部屋に設置されているアンテナ１の電波エリア１２に入った場合、電気錠コントローラ３は、当該部屋の扉４に設けられた電気錠５の解錠及び通行履歴の記憶を行う（ステップＳ３０６）。ステップＳ３０６で記憶された通行履歴には、第２利用者１０ｂが当該部屋に入室したことを示す情報が含まれている。
【００４５】
ステップＳ３０７では、当該部屋の室内に居るのが第１利用者１０ａと第２利用者１０ｂだけであるか否かの判定が行われる。ステップＳ３０７において当該部屋の室内に居るのが第１利用者１０ａと第２利用者１０ｂだけであると判定された場合、第１タグ１１ａ及び第２タグ１１ｂの人体通信機能が有効化される（ステップＳ３０８）。つまり、ステップＳ３０８において、アンテナ制御部９は、当該部屋に設置されているアンテナ１から有効化電波を発信させる。
【００４６】
ステップＳ３０９では、第三者が当該部屋に入室したか否かの判定が行われる。つまり、ステップＳ３０９では、第１タグ１１ａ及び第２タグ１１ｂとは異なる他のタグ１１が当該部屋に存在することが位置検出部８によって検出されたか否かが判定される。
【００４７】
ステップＳ３０９で第三者が当該部屋に入室していないと判定された場合、以降の入退室管理システムの動作が実施されるか否かは、第１利用者１０ａと第２利用者１０ｂが接触するか否かによって決まる（ステップＳ３１０）。ステップＳ３１０で第１利用者１０ａと第２利用者１０ｂが接触した場合、通信記録の保存及び送信が行われる（ステップＳ３１１）。ステップＳ３１１において、第１タグ１１ａは、当該通信記録を第１タグ１１ａの記憶媒体１５に一時保存する。ステップＳ３１１において、第２タグ１１ｂは、当該通信記録を第２タグ１１ｂの記憶媒体１５に一時保存する。第１タグ１１ａ及び第２タグ１１ｂの少なくとも一方は、当該通信記録を当該部屋に設置されているレシーバ２に送信する。ステップＳ３１１に続いて、入退室管理システムはステップＳ３１２の処理を行う。ステップＳ３１０で第１利用者１０ａと第２利用者１０ｂが接触しなかった場合、入退室管理システムは、ステップＳ３１１の処理を行わずにステップＳ３１２の処理を行う。
【００４８】
ステップＳ３１２では、第三者が当該部屋に入室したか否かの判定が行われる。ステップＳ３１２で第三者が当該部屋に入室していないと判定された場合、第１利用者１０ａ又は第２利用者１０ｂのどちらかが当該部屋から退室すると（ステップＳ３１３）、以降の入退室管理システムの動作が実施されるか否かは、ステップＳ３１３で退室した利用者１０が当該部屋とは異なる別の部屋に設置されているアンテナ１の電波エリア１２に入るか否かによって決まる（ステップＳ３１４）。ステップＳ３１４において、ステップＳ３１３で退室した利用者１０が当該部屋とは異なる別の部屋に設置されているアンテナ１の電波エリア１２に入らなかった場合、以降の入退室管理システムの動作は実施されない。
【００４９】
ステップＳ３１４において、ステップＳ３１３で退室した利用者１０が当該部屋とは異なる別の部屋に設置されているアンテナ１の電波エリア１２に入った場合、第１タグ１１ａ及び第２タグ１１ｂの人体通信機能が無効化される（ステップＳ３１５）。つまり、ステップＳ３１５において、アンテナ制御部９は、当該部屋に設置されているアンテナ１及び当該別の部屋に設置されているアンテナ１から無効化電波を発信させる。ステップＳ３１５の処理を行った後、入退室管理システムは動作を終了する。
【００５０】
ステップＳ３０９で第三者が当該部屋に入室していないと判定された場合、第１タグ１１ａ及び第２タグ１１ｂの人体通信機能が無効化される（ステップＳ３１６）。つまり、ステップＳ３１６において、アンテナ制御部９は、当該部屋に設置されているアンテナ１から無効化電波を発信させる。
【００５１】
ステップＳ３１６に続いて、入退室管理システムはステップＳ３１７の処理を行う。また、ステップＳ３０７において当該部屋の室内に居るのが第１利用者１０ａと第２利用者１０ｂだけではないと判定された場合も、入退室管理システムはステップＳ３１７の処理を行う。
【００５２】
ステップＳ３１７では、第三者が当該部屋から退室したか否かの判定が行われる。ステップＳ３１７で第三者が当該部屋から退室したと判定された場合、入退室管理システムはステップＳ３０８の処理を行う。
【００５３】
ステップＳ３１７で第三者が当該部屋から退室していないと判定された場合、以降の入退室管理システムの動作が実施されるか否かは、第１利用者１０ａ又は第２利用者１０ｂのどちらかが当該部屋から退室するか否かによって決まる（ステップＳ３１８）。ステップＳ３１８において、第１利用者１０ａ又は第２利用者１０ｂのどちらかが当該部屋から退室しなかった場合、入退室管理システムはステップＳ３１７の処理を行う。ステップＳ３１８において、第１利用者１０ａ又は第２利用者１０ｂのどちらかが当該部屋から退室した場合、入退室管理システムは動作を終了する。
【００５４】
実施の形態１において、タグ１１は、アンテナからの検出電波を受信した場合にＩＤを含む情報を送信する。レシーバ２は、タグ１１から情報を受信する。電気錠コントローラ３は、レシーバ２により受信された情報に含まれるＩＤに基づいて電気錠５を解錠する。センタ装置６の記憶部７は、レシーバ２により受信された情報を記憶するタグ１１のうち少なくとも第１タグ１１ａ及び第２タグ１１ｂは、人体を介して互いに通信する人体通信機能を有している。第１タグ１１ａ及び第２タグ１１ｂの少なくとも一方は、第１タグ１１ａと第２タグ１１ｂとの間で通信が行われた場合に、第１タグ１１ａのＩＤ及び第２タグ１１ｂのＩＤを含む通信記録を送信する。記憶部７は、レシーバ２により受信された通信記録を記憶する。つまり、実施の形態１における入退室管理システムでは、人体通信機能を有するタグ１１同士の通信記録を記憶することで、複数の利用者同士の接触履歴が残される。このため、実施の形態１によれば、入退室管理システムにおいて、複数の利用者同士の接触があったことを検出することができる。これにより、例えば、密室における暴力行為及びセクシャルハラスメント等の発生を検出及び抑止することができる。
【００５５】
実施の形態１において、位置検出部８は、レシーバ２により受信された情報及び電気錠コントローラ３の動作に基づいて、タグ１１が存在する領域を検出する。アンテナ制御部９は、例えば、位置検出部８により第１タグ１１ａ及び第２タグ１１ｂの双方が同一領域に存在し且つ第１タグ１１ａ及び第２タグ１１ｂとは異なる他のタグ１１が当該同一領域に存在しない状況が検出された場合に、アンテナ１から有効化電波を発信させる。第１タグ１１ａ及び第２タグ１１ｂは、アンテナ１からの有効化電波を受信した場合に人体通信機能を有効化する。また、アンテナ制御部９は、例えば、位置検出部８により当該状況が検出されなくなった場合にアンテナから無効化電波を発信させる。第１タグ１１ａ及び第２タグ１１ｂは、アンテナ１からの無効化電波を受信した場合に人体通信機能を無効化する。このため、実施の形態１によれば、タグ１１の人体通信機能は、予め設定された条件に適合する状況においてのみ有効化され、予め設定された条件に適合しない状況において無効化される。その結果、不必要に人体通信機能部１４を動作させ続けることを防止し、タグ１１の電池の消耗を抑制することができる。
【００５６】
実施の形態１において、タグ１１は、記憶媒体１５に通信記録を記憶する。つまり、第１タグ１１ａは、第２タグ１１ｂと通信を行った場合に第２タグ１１ｂのＩＤを記憶する。また、第２タグ１１ｂは、第１タグ１１ａと通信を行った場合に第１タグ１１ａのＩＤを記憶する。このため、実施の形態１によれば、センタ装置６だけでなくタグ１１自体にも利用者同士の接触履歴が残される。その結果、より確実に、複数の利用者同士の接触があったことを検出することができる。
【符号の説明】
【００５７】
１  アンテナ
２  レシーバ
３  電気錠コントローラ
４  扉
５  電気錠
６  センタ装置
７  記憶部
８  位置検出部
９  アンテナ制御部
１０  利用者
１０ａ  第１利用者
１０ｂ  第２利用者
１１  ＲＦＩＤタグ
１１ａ  第１タグ
１１ｂ  第２タグ
１２  電波エリア
１３  ＲＦＩＤ機能部
１４  人体通信機能部
１５  記憶媒体
１６ａ，１６ｂ，１６ｃ  プロセッサ
１７ａ，１７ｂ，１７ｃ  メモリ
【図１】
2016177370.tif 000003
【図２】
2016177370.tif 000004
【図３】
2016177370.tif 000005
【図４】
2016177370.tif 000006
【図５】
2016177370.tif 000007
【図６】
2016177370.tif 000008
【図７】
2016177370.tif 000009
【図８】
2016177370.tif 000010